(57)【特許請求の範囲】
【請求項１】
少なくとも熱源と送風装置を備えた浴室乾燥機であって、吸い込み口から吹き出し口にいたる風路内に臭気およびまたは有害ガス除去材を配置し、シャワー使用時に発生するトリハロメタンを除去するように、シャワー使用検知手段を設け、前記シャワー使用検知手段によりシャワー使用を検知して運転する浴室乾燥機。
【請求項２】
請求項１に記載の浴室乾燥機を備えた浴室。
【発明の詳細な説明】
【０００１】
【発明の属する技術分野】
本発明は、浴室を利用して衣類を乾燥させたり浴室の湿気を換気する等の機能を持つ浴室乾燥機に関する。
【０００２】
【従来の技術】
従来、この種の浴室乾燥機は、浴室内の空気を本体内に設けた循環送風装置により、浴室側吸気口よりエアフィルターを介して熱源に導き加熱した後、浴室側吹き出し口より浴室内に吐き出す。また前記循環送風装置と熱源との中間部において循環している浴室内空気の一部を、換気送風装置により排気口に接続された排気ダクトから外部へ排出することにより、浴室内の加熱、乾燥を行いながら浴室内に置いた衣類を乾燥させようとするものであった。
【０００３】
【発明が解決しようとする課題】
このような従来の浴室乾燥機では、浴室内で発生する臭気や、シャワー使用時に発生するトリハロメタン類等の有害物質を除去することができないという問題があり、近年では生活空間内の空気質を向上することが要求されている。
【００２７】
【課題を解決するための手段】
本発明は、上記の課題を解決するために成されたものであり、本発明の浴室乾燥機は、少なくとも熱源と送風装置を備えた浴室乾燥機であって、吸い込み口から吹き出し口にいたる風路内に臭気およびまたは有害ガス除去材を配置し、シャワー使用時に発生するトリハロメタンを除去するように、シャワー使用検知手段を設け、前記シャワー使用検知手段によりシャワー使用を検知して運転する浴室乾燥機としたものである。
【００２８】
そして本発明によれば、シャワー使用時に発生するトリハロメタン類が飛散するまえに除去する浴室乾燥機が得られる。
【００２９】
また他の手段は、請求項１に記載の浴室乾燥機を備えた浴室としたものである。
【００４３】
またシャワー使用時に自動運転することによりシャワー使用時に発生するトリハロメタン等の有害物質が飛散する前に除去する浴室乾燥機を提供できるという作用を有する。
【００４４】
また請求項１に記載の浴室乾燥機を備えた浴室としたことにより、臭気および有害ガス除去機能を付加した浴室を提供できるという作用を有する。
【００４６】
（参考例１）
図１に示すように、筐体２と送風装置３と熱源４からなる浴室乾燥機１は、従来の浴室内乾燥機能、暖房機能に加えて吸い込み口７から吹き出し口８にいたる風路５に臭気およびまたは有害ガス除去材６を備え、吸い込み口７から吸引された臭気およびまたは有害ガスを含んだ浴室内空気は臭気およびまたは有害ガス除去材６によって浄化され、清浄空気となって吹き出し口８から浴室内に還流される。
【００４７】
上記構成において、臭気およびまたは有害ガス除去材６は吸着、吸収材または触媒成形体で好ましくは活性炭、ゼオライト、シリカゲル、貴金属系加熱酸化触媒、光触媒で構成され、また熱源４は発熱体で好ましくはシーズヒータまたはニクロムヒータで構成される。
【００４８】
なお、本実施の形態では臭気およびまたは有害ガス除去材６は風路５内の送風装置３より吸い込み口７側に設置する構成としたが、風路５内であればどこでも良く、同様の効果が得られる。
【００４９】
（参考例２）
図２に示すように、筐体２と送風装置３と熱源４からなる浴室乾燥機１は、従来の浴室内乾燥機能、暖房機能に加えて風路５に臭気およびまたは有害ガス除去触媒９を備え、吸い込み口７から吸引された臭気およびまたは有害ガスを含んだ浴室内空気は臭気およびまたは有害ガス除去触媒９によって浄化され、清浄空気となって吹き出し口８から浴室内に還流される。
【００５０】
上記構成において、臭気およびまたは有害ガス除去触媒は、貴金属系加熱酸化触媒、光触媒で構成され、また熱源４は発熱体で好ましくはシーズ熱源またはニクロム熱源で構成される。
【００５１】
（参考例３）
参考例２の構成において、臭気およびまたは有害ガス除去触媒９を２００℃以下の低温で臭気およびまたは有害ガスを酸化分解除去できるものとする。
【００５２】
また、図３に示すように風路５内に風路分割板１０を備え、分割された風路の一方に臭気およびまたは有害ガス除去触媒９を設置する。臭気およびまたは有害ガス除去触媒９は風量が減じることにより効率的に加熱され、吸い込み口７から吸引された臭気およびまたは有害ガスを含んだ浴室内空気は臭気およびまたは有害ガス除去触媒９によって浄化され、一方の風路から流れてくる浴室内空気と混合し、９０℃以下として吹き出し口８より浴室内に還流される。
【００５３】
上記構成において、臭気およびまたは有害ガス除去触媒は２００℃以下で臭気およびまたは有害ガスを酸化分解するものなら何でも良いが好ましくは特開平１０−１８０１０８公報記載の触媒で構成される。
【００５４】
なお、触媒は触媒組成物のみで構成されていても、活性炭、ゼオライト、アルミナ、酸化チタン等の基材に担持された状態でもよい。
【００５５】
（参考例４）
参考例２または３の構成において、臭気およびまたは有害ガス除去触媒９を特開平１０−１８０１０８公報に記載の触媒組成物にさらに銅、銀、白金、金からなる少なくとも１種以上の金属酸化物を複合して得られる触媒組成物とし、水道水に含まれる残留塩素と有機物が反応して生成する有機ハロゲン化物を酸化分解除去できるものとする。
【００５６】
（参考例５）
参考例２、３または４の構成において、触媒組成物に活性炭を１ｗｔ％添加し、触媒組成物を黒色とする。なお本実施の形態では触媒組成物の黒色化に活性炭を用いたが、触媒性能を劣化させる恐れのある塩化物、硫化物以外の黒色材料であれば何でもよい。
【００５７】
また、添加量としては０．５ｗｔ％以上であれば同様の効果が得られるが、添加量が多くなれば触媒性能が低下する為好ましくは０．５ｗｔ％から１０ｗｔ％がよい。
【００５８】
（参考例６）
参考例２、３または４の構成において、触媒担持体に活性炭を１ｗｔ％添加し、触媒成形体を黒色とする。なお本実施の形態では触媒担持体の黒色化に活性炭を用いたが、触媒性能を劣化させる恐れのある塩化物、硫化物以外の黒色材料であれば何でもよい。また添加量としては０．５ｗｔ％以上であれば同様の効果が得られるが、添加量が多くなれば触媒性能が低下する為好ましくは０．５ｗｔ％から１０ｗｔ％がよい。
【００５９】
（参考例７）
参考例１、２、３、４、５または６の構成において、触媒組成物をシリカゾルとの混合スラリーとして、図４に示すようにＳｉＯ２、Ａｌ２Ｏ３の混合物で形成されるセラミックペーパーに担持して成形体１１とする。
【００６０】
なお、本実施の形態ではセラミックペーパーとしてＳｉＯ2、Ａｌ2Ｏ3の混合物を用いたが、ムライトのように他成分が添加されたものでも同様の効果が得られる。
【００６１】
（参考例８）
参考例７に記載した構成で、担持基材をフェライト系ステンレスとする。
【００６２】
（参考例９）
参考例８に記載の構成において、図５に示すように触媒担持基材をラス加工したフェライト系ステンレスとし、ラスメタル触媒成形体１２とする。
【００６３】
（参考例１０）
図６に示すように、筐体２と送風装置３と熱源４からなる浴室乾燥機１は、従来の浴室内乾燥機能、暖房機能に加えて風路５内で送風装置３と吹き出し口８との間に臭気およびまたは有害ガス除去触媒９と熱源４を備え、吸い込み口７から吸引された臭気およびまたは有害ガスを含んだ浴室内空気は
臭気およびまたは有害ガス除去触媒９によって浄化され、清浄空気となって吹き出し口８から浴室内に還流される。
【００６４】
また、この時に熱源４からの輻射および臭気およびまたは有害ガス除去触媒９からの遠赤外輻射が同時に得られる。
【００６５】
（参考例１１）
参考例１０に示す構成において、図７に示すように熱源４の近傍に鏡面仕上げをしたステンレス板１３を設置する。なお、本実施の形態において
熱源反射板として鏡面仕上げを施したステンレス板を用いたが、熱反射作用を有する材料であれば何でもよい。
【００６６】
（参考例１２）
参考例１０または１１に示す構成において、熱源４をハロゲンヒータとする。
【００６７】
（実施の形態１）
参考例１０、１１または１２に示す構成において、図７に示すように湿度センサ１４を設置する。なお、本実施の形態においてはシャワー使用検知手段として湿度センサを本体に備えたが、シャワー検知手段はシャワー検知手段がシャワー使用を検知した場合に本体の運転が開始される構成であれば良く、例えば、ワイヤレス式、有線式等で本体内に備えていなくともよい。
【００６８】
また、シャワー音感応式、流水検知式等シャワーが使用されたことを検知する手段であれば同様の効果が得られる。
【００６９】
（実施の形態２）
参考例１０、１１、１２または実施の形態１に示す構成の浴室乾燥機を浴室天井に埋め込み設置する。なお本実施の形態において浴室乾燥機を浴室天井に埋め込み設置としたが、床置き、壁掛け等浴室空気を循環できうる機構であれば同様の効果が得られる。また、本実施の形態においては浴室乾燥機を構成する部材を一体型としたが、各構成部材が一体型でなくとも同様の効果を持つ浴室が得られる。以下、本発明の具体的な実施例について図面を参照しながら説明する。
【００７０】
【実施例】
特開平１０−１８０１０８公報記載の触媒に銀酸化物を添加して複合酸化物とした触媒１００部にシリカゾル４０部を加えてスラリー化し、ラス加工フェライト系ステンレスにディップ担持加工を行った。得られた触媒成形体を図６に示すように、筐体２と送風装置３とハロゲンヒータ４、吸い込み口７、吹き出し口８からなる浴室乾燥機９の風路５に設置した。上記構成において吸い込み口７から吸引された臭気およびまたは有害ガスを含んだ浴室内空気は触媒成形体によって浄化され、清浄空気となって吹き出し口８から浴室内に還流される。この浴室乾燥機を６ｍ3の浴室に設置し、臭気成分ガスを１ｐｐｍ程度の濃度となるように注入したのち運転を開始して浴室内の臭気ガス濃度変化を測定した。
【００７１】
結果を図８に示す。またシャワーを５リットル／ｍｉｎで流しつづけた場合の浴室内クロロホルム濃度の変化を図９に示す。
【００７２】
図に示すようにいずれの場合もコントロールと比較して大きな効果を確認できた。
【００８４】
【発明の効果】
以上の実施例から明らかなように、本発明によれば従来の浴室乾燥機能に加えて、シャワー使用時に発生するトリハロメタン類が飛散するまえに除去出来るという効果のある浴室乾燥機を提供できる。
【００８５】
また、浴室内に有害ガス除去材を備えた浴室乾燥機を設置することにより、臭気および有害ガス除去機能を付加した浴室を提供できる。
【図面の簡単な説明】
【図１】  本発明の参考例１の浴室乾燥機の構造図
【図２】  同参考例態２の浴室乾燥機の構造図
【図３】  同参考例３の浴室乾燥機の構造図
【図４】  同参考例７の触媒成形体の構造図
【図５】  同参考例８の触媒成形体の構造図
【図６】  同参考例１０の浴室乾燥機の構造図
【図７】  同参考例１１、１２の浴室乾燥機の構造図
【図８】  同実施例の浴室乾燥機の脱臭性能図
【図９】  同実施例の浴室乾燥機のクロロホルム除去性能図
【符号の説明】
１    浴室乾燥機
２    筐体
３    送風装置
４    熱源
５    風路
６    臭気およびまたは有害ガス除去材
７    吸い込み口
８    吹き出し口
９    臭気およびまたは有害ガス除去触媒
１０  風路分割板
１１  セラミックペーパーハニカム触媒成形体
１２  ラスメタル触媒成形体
１３  ステンレス板
１４  湿度センサ
【図１】
0004149103.tif 000002
【図２】
0004149103.tif 000003
【図３】
0004149103.tif 000004
【図４】
0004149103.tif 000005
【図５】
0004149103.tif 000006
【図６】
0004149103.tif 000007
【図７】
0004149103.tif 000008
【図８】
0004149103.tif 000009
【図９】
0004149103.tif 000010